(57)【要約】【課題】操作性に優れ、かつ近距離無線通信に用いる近距離無線用通信基板の通信性能の低下を抑制する。【解決手段】記録ユニット４１と、前記記録ユニット４１を収容するケース本体２１と、前記ケース本体２１の内部に配置された電源供給部１００と、前記ケース本体２１の外周壁であって、前記電源供給部１００から通信距離以上離間した位置に配置されたＮＦＣ通信基板９０とを備える。この構成では、ＮＦＣ通信基板９０の通信性能の低下を抑制できる。また、通信端末をＮＦＣ通信基板９０に接近させ易く、操作が行い易い。【選択図】図１
2014096717.tif 000002
【特許請求の範囲】
【請求項１】
画像形成部と、
前記画像形成部を収容する筐体と、
前記筐体の内部に配置された電源供給部と、
前記筐体の外周壁であって、前記電源供給部から通信距離以上離間した位置に配置された近距離無線通信用のアンテナを有する近距離無線用通信基板と、を備える画像形成装置。
【請求項２】
前記近距離無線用通信基板を前記筐体の前面壁に配置し、
前記電源供給部を前記筐体の後部側に配置した請求項１に記載の画像形成装置。
【請求項３】
前記前面壁の左側に前記近距離無線用通信基板を配置した請求項２に記載の画像形成装置。
【請求項４】
前記前面壁の右側にインクカートリッジを着脱する着脱口を設けた請求項３に記載の画像形成装置。
【請求項５】
前記筐体を構成するケース本体の前側上部に設けられた基板収容部に配置され、前記画像形成部を制御する制御基板を備え、
前記近距離無線用通信基板は、前記筐体の前面壁のうち前記基板収容部よりも下側の位置に配置され、前記基板収容部に収容された前記制御基板に対して通信距離以上離間する請求項２ないし請求項４のいずれか一項に記載の画像形成装置。
【請求項６】
前記筐体の上部に画像読み取り装置を備え、
前記電源供給部は前記筐体の底部に配置され、
前記画像読み取り装置は、
原稿台ガラス上に載置された原稿を読み取る読み取り部と、
前記原稿台ガラスの上面を開閉する上面カバーと、を備え、
前記近距離無線用通信基板は、前記上面カバーに取り付けられている請求項１に記載の画像形成装置。
【請求項７】
前記近距離無線用通信基板は、当該画像形成装置を上方向から見て、前記原稿台ガラスに対して重なる位置に配置されている請求項６に記載の画像形成装置。
【発明の詳細な説明】
【技術分野】
【０００１】
本発明は、近距離無線通信用の通信基板を備える画像形成装置に関するものである。
【背景技術】
【０００２】
例えば、特許文献１に記載の画像形成装置では、画像形成装置と通信端末との間で近距離無線通信が可能となっている。
【先行技術文献】
【特許文献】
【０００３】
【特許文献１】特開２０１１−１０３５７２公報
【発明の概要】
【発明が解決しようとする課題】
【０００４】
しかし、近距離無線通信に用いる通信基板の配設位置が不適切であると、電源等の金属部品の影響により通信基板の磁界が弱まって通信性能が低下するという問題がある。また、通信基板の配設位置が不適切であると、操作性が低下する恐れがあった。
本発明は上記点に鑑み、操作性に優れ、かつ近距離無線通信に用いる近距離無線用通信基板の通信性能の低下を抑制することを目的とする。
【課題を解決するための手段】
【０００５】
本明細書によって開示される画像形成装置は、画像形成部と、前記画像形成部を収容する筐体と、前記筐体の内部に配置された電源供給部と、前記筐体の外周壁であって、前記電源供給部から通信距離以上離間した位置に配置され、近距離無線通信用のアンテナを有する近距離無線用通信基板とを備える。尚、通信距離とは、近距離無線用通信基板に搭載されたアンテナの通信距離を意味する。
【０００６】
この構成では、近距離無線用通信基板を、電源供給部に対して通信距離以上離して配置する。そのため、近距離無線用通信基板に搭載されたアンテナに流れる電流が作る磁束が電源供給部に鎖交せず、磁束の漏れが少ないことから、アンテナの作る磁界が弱くならない。したがって、近距離無線用通信基板の通信性能が低下することを抑制できる。尚、磁束が電源供給部に鎖交すると、磁束の漏れが多くなることから、アンテナの作る磁界が弱くなってしまい、近距離無線用通信基板の通信性能が低下してしまう。
また、この構成では、近距離無線用通信基板を筐体の外周壁に配置しているので、通信端末を近距離無線用通信基板に接近させ易く、操作が行い易い。
【０００７】
この発明の実施態様として以下の構成が好ましい。
前記近距離無線用通信基板を前記筐体の前面壁に配置し、前記電源供給部を前記筐体の後部側に配置する。この構成では、近距離無線用通信基板を筐体の前面壁に設けているので、通信端末を近距離無線用通信基板に接近させ易く、操作が行い易い。
【０００８】
前記前面壁の左側（画像形成装置を正面側から見て左側）に前記近距離無線用通信基板を配置する。この構成では、近距離無線用通信基板に通信端末を左手で近づけつつ、右手で操作パネルを操作することが出来るので、操作性がよい。
【０００９】
前記前面壁の右側にインクカートリッジを着脱する着脱口を設ける。この構成では、インクカートリッジの着脱口を、近距離無線用通信基板の逆側に設けているので、インクカートリッジを着脱する際に、近距離無線用通信基板が邪魔にならない。
【００１０】
前記筐体を構成するケース本体の前側上部に設けられた基板収容部に配置され、前記画像形成部を制御する制御基板を備え、前記近距離無線用通信基板は、前記筐体の前面壁のうち前記基板収容部よりも下側の位置に配置され、前記基板収容部に収容された前記制御基板に対して通信距離以上離間する。この構成では、近距離無線用通信基板を、制御基板に対して、通信距離以上離して配置する。そのため、近距離無線用通信基板に搭載されたアンテナに流れる電流が作る磁束が電源供給部に加えて制御基板に対しても鎖交しないので、アンテナの作る磁界が一層、弱くならない。したがって、近距離無線用通信基板の通信性能が低下することを抑制できる。
【００１１】
前記筐体の上部に画像読み取り装置を備え、前記電源供給部は前記筐体の底部に配置され、前記画像読み取り装置は、原稿台ガラス上に載置された原稿を読み取る読み取り部と、前記原稿台ガラスの上面を開閉する上面カバーとを備え、前記近距離無線用通信基板は、前記上面カバーに取り付けられている。この構成では、上面カバーに設けているので、通信端末を近距離無線用通信基板に接近させ易く、操作が行い易い。
【００１２】
前記近距離無線用通信基板は、前記原稿台ガラスに対して全体が重なる位置に配置されている。原稿台ガラスが近距離無線用通信基板と電源供給部との間に挟まった形で位置するので、電源供給部からのノイズを原稿台ガラスで減衰させることが可能となり、近距離無線用通信基板がノイズの影響を受け難いというメリットがある。
【発明の効果】
【００１３】
本発明によれば、近距離無線通信に用いる近距離無線用通信基板の通信性能の低下を抑制できる。また、操作性を向上させることが可能である。
【図面の簡単な説明】
【００１４】
【図１】実施形態１に適用された複合機の斜視図
【図２】複合機の垂直断面図
【図３】プリンタ装置を後方から見た斜視図
【図４】ＮＦＣ通信基板と金属部品の位置関係を示す平面図
【図５】ＮＦＣ通信基板と金属部品の位置関係を示す垂直断面図
【図６】実施形態２に適用された複合機の斜視図
【図７】実施形態２に適用された複合機の垂直断面図
【図８】ＮＦＣ通信基板と金属部品の位置関係を示す平面図
【図９】他の実施形態に適用された複合機の斜視図
【発明を実施するための形態】
【００１５】
＜実施形態１＞
本発明の実施形態１を図１ないし図５を参照して説明する。
図１は本実施形態に適用された複合機１０の斜視図である。図２は複合機の垂直断面図である。この複合機１０はファクシミリ機能に加え、通話機能を有し、更に、パーソナルコンピュータ等の接続によるスキャナ機能、プリンタ機能を備えている。尚、以下の説明において、図１の手前側（複合機１０の正面側）を前側とする。また、左右方向は、複合機１０を正面から見た場合の方向を指すものとする（図１参照）。
【００１６】
複合機１０は図１、図２に示すように、プリンタ装置２０を構成する各装置を内部に収容する概ね箱型（上方と前面壁の中央部が開口する箱型）のケース本体（本発明の「筐体」に相当する）２１の上部側にフラットベット式のスキャナ装置（本発明の「画像読み取り装置」に相当する）１３０を配してなる。スキャナ装置１３０の前部側には操作用のキーやタッチパネルを備え、電話番号の入力操作等を行うための操作パネル１４０が配されている。
【００１７】
スキャナ装置１３０は、図２に示すように、原稿台ガラス１３１、読み取りユニット（本発明の「読み取り部」に相当）１３３、スライダ１３５、スキャナモータＭ２（図５参照）、原稿カバー（本発明の「筐体の外周壁」の一例）１３８と、を主体として構成されている。原稿が載置される原稿台ガラス１３１は水平な板状をなし、上面に原稿を載置することが出来る。原稿カバー（本発明の「上面カバー」の一例）１３８は、スキャナ装置１３０の後部上側に設けられたヒンジ１３９を介して上下方向に回転することが出来る。原稿カバー１３８は、ヒンジ１３９を軸に回転することで、原稿台ガラス１３１を覆う閉止姿勢と原稿台ガラス１３１を開放する開放姿勢とに変位することが出来る。
【００１８】
読み取りユニット１３３は、コンタクトイメージセンサ等の読み取りセンサであり、原稿台ガラス１３１の下面側に配されている。読み取りユニット１３３は、読み取りユニット１３３のスライド動作を案内するガイド軸１３７に支持され、左右一対のスライダ１３５を介して原稿台ガラス１３１の下面へ、図示しないばね等の弾性体によって押圧されている。ガイド軸１３７は、複合機１０の幅方向に沿って延びており、読み取りユニット１３３の中央下部に存在し、下向きに開口した嵌口溝１３３Ａと嵌め合わされている。これらにより、読み取りユニット１３３は、スキャナモータＭ２を動力源として、複合機１０の幅方向、すなわち図１における左右方向にスライドすることが出来る。
【００１９】
以上のことから、原稿カバー１３８を開閉して原稿台ガラス１３１に原稿を載置した後、スキャナモータＭ２を駆動させて、読み取りユニット１３３を複合機１の左右方向に移動させることで、原稿の画像を読み取ることが出来る。
【００２０】
次に、プリンタ装置２０について説明する。本実施形態のプリンタ装置２０はインクジェット式であって、図２に示すように、おおまかには記録紙に画像を記録する記録ユニット（本発明の「画像形成部」に相当）４１、記録ユニット４１に記録紙を供給する供給部３１、メイン基板（本発明の「制御基板」の一例）６１、電源供給部１００（図４、図５参照）から構成されている。
【００２１】
まず、供給部３１について説明すると、図１に示すようにケース本体２１の中央下部には前後に貫通するトレイ収納部２５が設けられており、そこには、供給トレイ３２が前方より脱抜可能に嵌め合わされている。供給トレイ３２は合成樹脂製であって板状をなすとともに、前部側の左右両縁部からはアーチ型をなすガイド片３３が設けられており、トレイ上にセットされた記録紙の上方を覆うようになっている。このガイド片３３は記録紙の左右方向に関する位置決め機能並びに、排出トレイとしての機能も有している。
【００２２】
図２に示すように、トレイ収納部２５の奥面側には弧状をなすＵターン用のプレート３５が装着されている。一方、次述するエンジンフレーム４５には、供給ローラ３７がアーム３６を介して下方に垂れた状態で軸支されている。この供給ローラ３７は図示しない連結軸を介して駆動源となるメインモータＭ１（図４、図５参照）に接続されるとともに、供給トレイ３２上に載置された記録紙の上面に当接するようになっている。
【００２３】
そのため、メインモータＭ１（図４、図５参照）が供給ローラ３７を駆動すると供給トレイ３２より記録紙がプリンタ装置２０の前側から奥側（図２に示すＲ方向）に１枚ずつ送り出される。そして、送り出された記録紙はＵターン用のプレート３５を介して、下側から上側に１８０度反転される。その後、反転された記録紙はＵターン用のプレート３５の前部に配されるレジストローラ３８Ａ及びこれに従動して回転する従動ローラ３８Ｂによって前方、すなわち記録ユニット４１へと送り出される。
【００２４】
図２や図３に示すように、記録ユニット４１は記録ヘッド４２Ａを有するキャリッジ４２、プラテン４４、メインモータＭ１に接続されたタイミングベルト４９、並びにこれらを支持するためのエンジンフレーム４５を主体として構成されている。エンジンフレーム４５はケース本体２１の後部側であって供給トレイ３２の上方に配されている。エンジンフレーム４５は金属製であって、図３に示すように箱型をなす本体部４５Ａの上部側にケース本体２１の左右方向に延びる一対のガイドプレート４６、４７を装着してなる。本体部４５Ａには供給ローラ３７のアーム３６が回動自在に軸止されるとともにプラテン４４、廃液フォーム４４Ａが取りつけられている。
【００２５】
ガイドプレート４６、４７はいずれも金属製であって前後に並んで配されている。キャリッジ４２は両ガイドプレート４６、４７間を前後に架設するようにして装着される。この装着状態においてはキャリッジ４２に形成される各摺動突部（図示せず）が、前側のガイドプレート４６の後部並びに後側のガイドプレート４７の前部に当接する（以下、摺動部４６Ａ、４７Ａとする）。メインモータＭ１、ひいてはタイミングベルト４９が駆動されると、各摺動突部が各摺動部４６Ａ、４７Ａに沿って摺動するとともにキャリッジ４２はプリンタ装置２０の左右方向に沿って往復動する。これにより、供給部３１を介して記録ユニット４１に送られた記録紙に対して、記録ヘッド４２Ａにより画像を記録出来る。
【００２６】
図２に示すように、トレイ収納部２５の中央部であって、エンジンフレーム４５の前部側には排出ローラ５３が設けられている。この排出ローラ５３は図示しない連動手段を介して前記メインモータＭ１と接続されており、画像が記録された記録紙をガイド片３３上に排出する。
【００２７】
図３に示すように、ケース本体２１の前方右側（図３では左奥側）には、カートリッジ収容部５５が設けられている。カートリッジ収容部５５には、４色分のインクカートリッジ５６が前後方向に並んだ状態で収容されている。これら各インクカートリッジ５６と記録ヘッド４２Ａ（図３参照）との間が送液チューブ５７によって繋がれており、記録ヘッド４２Ａからインクが吐出されるとインクカートリッジ５６から記録ヘッド４２Ａにインクが供給されるようになっている。
【００２８】
そして、図１に示すように、ケース本体２１の前面壁２２の右端部２２Ｂには、インクカートリッジ５６を着脱する着脱口５８が設けており、着脱口５８を通じて、各インクカートリッジ５６を、着脱できる構成になっている。
【００２９】
また、本複合機１０では、ケース本体２１の前面壁２２のうち、着脱口５８の逆側となる左端部２２ＡにＮＦＣ通信基板（詳細は後に説明する）９０を取り付けているので、インクカートリッジ５６を着脱する際に、ＮＦＣ通信基板９０が邪魔にならない。
【００３０】
ケース本体２１の前部側であって供給トレイ３２の上方位置には、第１基板収容部２６（図２参照）が設けられている。第１基板収容部２６は上側に開口する底の浅い箱型をしていて、そこには、記録ヘッド４２Ａなどの各装置の駆動を電気的に制御するメイン基板６１が配置されている。メイン基板６１は左右方向に長い横長形状をなすとともに、金属製のシールドケース７０によって上方を覆われている。メイン基板６１は、ほぼ記録ユニット４１を構成するキャリッジ４２、記録ヘッド４２Ａの設けられた高さ範囲内にある。このようにメイン基板６１と記録ユニット４１を同じ高さ範囲内で並べて配置すれば、上下に積み重ねて配置する場合に比較して、装置の低背化を図ることができる。
【００３１】
また、メイン基板６１上には、図４に示すように、無線ＬＡＮ（Local Area Network）用通信基板６２が搭載されている。無線ＬＡＮ用通信基板６２は、無線ＬＡＮ接続用の線状アンテナ（図略）と通信回路（図略）を備えた構成となっている。無線ＬＡＮ用通信基板６２は、携帯電話やスマートフォン等の通信端末Ｕとの間で無線ＬＡＮ通信を行う。尚、この例では、無線ＬＡＮ用通信基板６２をメイン基板６１の後部右側に配置していて、後述するＮＦＣ通信基板９０までの距離を、互いの電波が干渉し合わないように確保する配置となっている。
【００３２】
図２に示すように、スキャナ装置１３０の前部側には第２基板収容部１４５が設けられており、そこには操作基板６５が収容されている。両基板６１、６５間が図示しない電線によって電気的に接続されている。
【００３３】
また、図１、図２、図４、図５に示すように、ケース本体２１の前面壁（本発明の「筐体の外周壁」の一例）２２の左端部２２Ａの裏面側には、ＮＦＣ通信基板（本発明の「近距離無線用通信基板」の一例）９０が取り付けられている。具体的には前面壁２２Ａの裏面に一体的に形成されたフックやねじにより取り付けられている。ＮＦＣ通信基板９０は通信端末Ｕと近距離無線通信を行うものであり、ループアンテナ９１と通信回路（図略）とを備えた構成となっている。尚、ＮＦＣ（Near Field Communication）とは、最大１メートル程度の範囲内で無線通信を行うことを意味する。また、ＮＦＣ通信の周波数は１３．５６ＭＨＺである。
【００３４】
また、ＮＦＣ通信基板９０に搭載されたループアンテナ９１の通信距離は、ループアンテナ９１の直径と概ね等しい。この例では、ループアンテナ９１は長方形で、直径（対角線の長さ）が５０ｍｍであることから、ＮＦＣ通信基板９０の通信距離は概ね５０ｍｍである。
【００３５】
ＮＦＣ通信は、通信距離が短いため、通信端末Ｕと複合機１０との間で通信を行うには、複合機１０に対して通信端末Ｕを通信距離以下まで近づける必要がある。この点、本複合機１０では、ＮＦＣ通信基板９０をケース本体２１の前面壁２２に設けており、通信端末Ｕを複合機１０の正面側から近づけてゆけば、両機器を通信距離以下に出来るので、操作性がよい。加えて、ＮＦＣ通信基板９０を前面壁２２の左側（複合機１０を正面から見て左側）に配置しているので、通信機器Ｕを左手で持って複合機１０のＮＦＣ通信基板９０に近づけつつ、右手で操作パネル１４０を操作することが出来るので、操作性がよい。
【００３６】
尚、ＮＦＣ通信は例えば、通信端末Ｕとのペアリングや、通信端末Ｕとの間で無線ＬＡＮによる相互接続を確立させるために使用される。
【００３７】
また、複合機１０は、図４、図５に示すように、ケース本体２１の後部左側に、電源供給部１００やメインモータＭ１、スキャナモータＭ２を配置している。具体的には、ケース本体２１の底部後端の左側にメインモータＭ１を配置している。そして、メインモータＭ１の前側に電源供給部１００を配置している。
【００３８】
電源供給部１００は、金属製の保護カバー内に電源回路を実装した電源基板を収容しており商用のＡＣ電源からＣＰＵ、メモリ等の電源として使用されるＤＣ５Ｖと、各モータＭ１、Ｍ２等のアクチュエータを作動させるためのＤＣ３０Ｖを発生させる。電源供給部１００と各基板６１、６５との間、及び電源供給部１００と各モータＭ１、Ｍ２との間はそれぞれ電線によって接続されており、電源供給部１００で発生した電圧がメイン基板６１、操作基板６５、各モータＭ１、Ｍ２に対してそれぞれ印加される構成になっている。
【００３９】
電源供給部１００は、メインモータＭ１と同様、ケース本体２１の底部左側に配置されている。電源供給部１００は前後に長い形状であり、ケース本体２１の後部側にメインモータＭ１と前後に並んで配置され、先端はケース本体２１の概ね中央に位置する。また、メインモータＭ１の上側には、スキャナモータＭ２が配置されている。スキャナモータＭ２も、電源供給部１００やメインモータＭ１と同様、ケース本体２１の左側に配置されている。
【００４０】
これら電源供給部１００、メインモータＭ１、スキャナモータＭ２は概ね接近して配置されていて、ケース本体２１の後部左側に集約されている。
【００４１】
このように複合機１０は、ケース本体２１の前側にＮＦＣ通信基板９０を配置する一方、電源供給部１００や各モータＭ１、Ｍ２等の金属部品（磁束を通し易い金属を一部に有する部品）Ｅをケース本体２１の後方に配置している。すなわち、ＮＦＣ通信基板９０と、金属部品Ｅを前後に分けて配置することにより、ＮＦＣ通信基板９０を、金属部品Ｅに対して、基板端から通信距離以上（具体的には５０ｍｍ以上）、離間させている。そのため、ＮＦＣ通信基板９０に搭載されたループアンテナ９１に流れる電流が作る磁束が、電源供給部１００や各モータＭ１、Ｍ２に鎖交しないことから、磁束の漏れが少なく、ループアンテナ９１の作る磁界が弱くならない。そのため、ＮＦＣ通信基板９０の通信性能が低下することを抑制できる。
【００４２】
尚、ＮＦＣ通信基板９０と、電源供給部１００やモータＭ１、Ｍ２等の金属部品との間は、少なくとも通信距離以上離間させればよいが、余裕をとって、通信距離よりもプラス数ｍｍ程度は余分に離しておくと、磁束の漏れが一層少なくなるので、好ましい。
【００４３】
また、電源供給部１００やメインモータＭ１、スキャナモータＭ２等の金属部品Ｅはノイズ源Ｅでもあるので、ＮＦＣ通信基板９０から出来る限り離間させた方が、ＮＦＣ通信基板９０がノイズの影響を受け難くなる。この点、本複合機１０では、ＮＦＣ通信基板９０と、ノイズ源Ｅを前後に分けて配置することにより、ＮＦＣ通信基板９０から、ノイズ源Ｅまでの距離を確保（長い距離確保）することが可能であり、ＮＦＣ通信基板９０がノイズの影響を受け難くなる。
【００４４】
また、ＮＦＣ通信基板９０は、図２に示すように、ケース本体２１の前面壁２２のうち、メイン基板６１を収容する第１基板収容部２６よりも下側の位置に配置されている。このようにすることで、メイン基板６１とＮＦＣ通信基板９０との間を第１基板収容部２６の底面壁２６Ａによって上下に仕切ることが可能となり、同時にＮＦＣ通信基板９０とメイン基板６１を上下方向に離間させることが出来る。また、メイン基板６１を覆うシールドケース７０に対しても、上下方向に離間させることが出来る。
【００４５】
複合機１０では、ＮＦＣ通信基板９０を、メイン基板６１に対して下方に位置をずらして配置することにより、メイン基板６１及びシールドケース７０に対して、基板端から通信距離以上離間させる設定にしてある。そのため、ＮＦＣ通信基板９０に搭載されたループアンテナ９１に流れる電流が作る磁束が、電源供給部１００や各モータＭ１、Ｍ２に加えて、メイン基板６１やシールドケース７０にも鎖交しないことから、磁束の漏れが少なく、ループアンテナ９１の作る磁界が弱くならない。そのため、ＮＦＣ通信基板９０の通信性能が低下することを一層、抑制できる。また、電源供給部１００、モータＭ１、Ｍ２、メイン基板６１以外の金属部品についても、ＮＦＣ通信基板９０に対して通信距離以上離す配置にしておくと、ＮＦＣ通信基板９０の通信性能が低下することをより一層抑制することが出来る。この例では、金属製のエンジンフレーム４５を本体フレーム２１の後部側に配置することにより、ＮＦＣ通信基板９０との距離を通信距離以上離す構成となっている。
【００４６】
＜実施形態２＞
次に、本発明の実施形態２を図６ないし図８によって説明する。
実施形態１では、金属部品（ノイズ源）Ｅをケース本体２１の後方に配置する一方、ＮＦＣ通信基板９０をケース本体２１の前面壁２２に取り付けた。すなわち、金属部品ＥとＮＦＣ通信基板９０を前後に離間して配置する構成とした。金属部品ＥとＮＦＣ通信基板９０は、少なくとも通信距離以上離間して配置されていればよく、金属部品ＥとＮＦＣ通信基板９０をケース本体２１の左右方向や、上下方向に分けて配置してもよい。
【００４７】
実施形態２では図６、図７に示すように金属部品Ｅを装置左側（ケース本体２１の左側）に配置する一方、ＮＦＣ通信基板９０を装置右側（原稿カバー１３８の右側）に配置し、金属部品ＥとＮＦＣ通信基板９０を左右方向に離間する。また、実施形態２では、ＮＦＣ通信基板９０を原稿カバー１３８の裏面に配置するとともに、金属部品（特に、電源供給部１００やメインモータＭ１）Ｅをケース本体２１の底部側に配置している。そのため、ＮＦＣ通信基板９０と金属部品Ｅを上下方向にも離間させることが出来ることから、金属部品ＥとＮＦＣ通信基板９０との間を、通信距離である５０ｍｍ以上は確実に離間させることが可能であり、ＮＦＣ通信基板９０の通信性能が低下することを抑制できる。
【００４８】
また、ＮＦＣ通信基板９０は、図８に示すように、当該複合機１０を上方向（原稿台ガラス１３１に対して直交する方向）から見て、原稿台ガラス１３１に対して、重なる位置に配置されている。本例では、原稿台ガラス１３１に対して、ＮＦＣ通信基板９０の全体が重なる位置関係となっている。原稿台ガラス１３１の直下にはキャリッジ４２が移動するスペースが必要であるため、電源供給部１００やメインモータＭ１、スキャナモータＭ２等の金属部品Ｅは原稿台ガラス１３１の直下から避けて配置される。そのため、ＮＦＣ通信基板９０を原稿台ガラス１３１に重なる位置に配置しておけば、電源供給部１００やメインモータＭ１、スキャナモータＭ２等の金属部品ＥからＮＦＣ通信基板９０を通信距離以上、確実に離間させることが可能となる。加えて、原稿台ガラス１３１がＮＦＣ通信基板９０とノイズ源Ｅとの間に挟まった形で位置するので、電源供給部１００やメインモータＭ１、スキャナモータＭ２等のノイズ源Ｅからのノイズを原稿台ガラス１３１で減衰させることが可能となり、ＮＦＣ通信基板９０がノイズの影響を受け難いというメリットがある。
【００４９】
また、ＮＦＣ通信基板９０を原稿カバー１３８の裏面に配置した場合、通信端末Ｕを複合機１０の上側から近づけてゆけば、両機器を通信距離以下に出来るので、操作性がよい。
【００５０】
また、ＮＦＣ通信基板９０を原稿カバー１３８の裏面に配置する場合、ＮＦＣ通信基板９０とメイン基板６１とを接続する電線９５を、図６に示すように原稿カバー１３８のヒンジ１３９を通して配線するとよい。電線９５をヒンジ１３９に通すことで、原稿カバー１３８の開閉に伴って、電線９５に無理な力が加わることを低減することが出来る。
【００５１】
＜他の実施形態＞
本発明は上記記述及び図面によって説明した実施形態に限定されるものではなく、例えば次のような実施形態も本発明の技術的範囲に含まれる。
【００５２】
（１）実施形態１、２では、画像形成装置の一例に複合機を例示したが、スキャナ装置１３０は必ずしも装備している必要はなく、少なくともプリンタ装置２０だけを備えていればよい。また、実施形態１、２では、プリンタ装置２０の一例にインクジェット方式のプリンタを例示したが、電子写真方式のプリンタであってもよい。
【００５３】
（２）実施形態１、２では、フラットベット式のスキャナ装置１３０を備えた複合機１０を例示したが、図９に示すようにＡＤＦ機構２００を備えた構成であってもよい。この場合、用紙を搬送するＡＤＦモータＭ３もノイズ源となるから、図９に示すように、ＮＦＣ通信基板９０を本体ケースの前面壁２２か、原稿カバー１３８のうちＡＤＦモータＭ３の設置位置とは逆側の端部に配置して、ＡＤＦモータＭ３からＮＦＣ通信基板９０を離間して配置するとよい。
【００５４】
（３）実施形態２では、上方向から見て、原稿台ガラス１３１に対してＮＦＣ通信基板９０の全体が重なる位置関係となっていたが、少なくもループアンテナ９１や通信回路が原稿台ガラス１３１に対して重なっていればよく、基板の一部が原稿台１３１から外れている構成であってもよい。
【符号の説明】
【００５５】
１０...複合機  
２０...プリンタ装置  
２１...ケース本体  
２２...前面壁（本発明の「外周壁」の一例）  
２６...第１基板収容部（本発明の「基板収容部」の一例）  
４１...記録ユニット（本発明の「画像形成部」の一例）  
６１...メイン基板（本発明の「制御基板」の一例）
６５...操作基板  
９０...ＮＦＣ通信基板（本発明の「近距離無線用通信基板」の一例）  
９１...ループアンテナ（本発明の「アンテナ」の一例）  
１００...電源供給部  
１３０...スキャナ装置（本発明の「画像読み取り装置」の一例）
１３１...原稿台ガラス
１３３...読み取りユニット（本発明の「読み取り部」の一例）
１３８...原稿カバー（本発明の「上面カバー」の一例）
Ｍ１...メインモータ
Ｍ２...スキャナモータ
【図１】
2014096717.tif 000003
【図２】
2014096717.tif 000004
【図３】
2014096717.tif 000005
【図４】
2014096717.tif 000006
【図５】
2014096717.tif 000007
【図６】
2014096717.tif 000008
【図７】
2014096717.tif 000009
【図８】
2014096717.tif 000010
【図９】
2014096717.tif 000011